(57)【要約】【課題】軸筒内に、インク収納管を備えたリフィールを安定した状態で保持することができる筆記具を提供する。【解決手段】先軸１３及び後軸１４を有する軸筒１０と、軸筒１０に収容されるインク収納管２３を備えたリフィール２０と、インク収納管２３の後端部に装着されている尾栓３０とを備えた筆記具１であって、後軸１４の後端側の内周面には、軸方向に沿って突設する複数の起立片１４ａが周方向に断続的に形成され、起立片１４ａの一端側には、内周面からの高さ寸法が小さくなる段差部１４ａ１が形成され、さらに、段差部１４ａ１から先端方向に延びるテーパ部１４ａ２が設けられ、起立片１４ａは、少なくとも、段差部１４ａ１が尾栓３０の後端部に当接すると共に、複数の起立片１４ａのいずれかのテーパ部１４ａ２が尾栓３０の厚肉部３０ｂ１に当接する。【選択図】図９
2011121299.tif 000002
【特許請求の範囲】
【請求項１】
軸筒と、該軸筒に収容されるインク収納管を備えたリフィールと、該インク収納管の後端部に装着されている尾栓とを備えた筆記具であって、
前記軸筒の後端側の内周面には、軸方向に沿って突設する複数の起立片が周方向に断続的に形成され、
前記起立片の一端側には、前記内周面からの高さ寸法が小さくなる段差部が形成され、さらに、該段差部から先端方向に延びるテーパ部が設けられ、
前記起立片は、少なくとも、前記段差部が前記尾栓の後端側に当接すると共に、前記複数の起立片のいずれかのテーパ部が前記尾栓の後端側に当接することを特徴とする筆記具。
【請求項２】
前記尾栓には、両端を貫通する通気孔が形成されており、当該尾栓の後端側の通気孔を中心にして周方向に沿って薄肉部と厚肉部とが交互に形成され、
前記テーパ部は、前記厚肉部に当接するようになされていることを特徴とする請求項１に記載の筆記具。
【請求項３】
前記軸筒の後端側の内周面の隣接する起立片の間に斜面部が形成され、
前記尾栓には、前記起立片及び前記斜面部が当接することを特徴とする請求項１又は請求項２に記載の筆記具。
【請求項４】
前記軸筒の後端側の内周面には起立片が５本形成され、前記尾栓には厚肉部が３箇所形成されていることを特徴とする請求項３に記載の筆記具。
【請求項５】
前記５本の起立片のうちの少なくとも２本の起立片と、１面の斜面部とが前記尾栓の厚肉部と当接していることを特徴とする請求項４記載の筆記具。
【発明の詳細な説明】
【技術分野】
【０００１】
本発明は、筆記具に関し、例えば、インクを収容するインク収納管が軸筒内部に収容される筆記具に関する。
【背景技術】
【０００２】
ボールペンに代表される筆記具においては、一般的にその外装体を構成する軸筒と、この軸筒内に収容される筆記チップ及びインク収納管等からなるリフィールとにより構成されている。この構成によると、リフィールと、これを収容する軸筒との相互間に、軸方向にわずかな寸法ばらつきが発生するという問題があった。
そして、上記の寸法バラツキを解消するために、例えば、特許文献１には、インク収納管の後端部に尾栓を装着し、尾栓の後端部を弾性変形部とした構成の筆記具が提案されている（例えば特許文献１）。
【０００３】
ここで、特許文献１に記載されている筆記具の構造について図１０に基づいて説明する。
図示するように、筆記具は、軸筒が先軸１０３及び後軸１０４により形成され、当該後軸１０４の内側面に、軸方向に沿って複数の起立片１０４ｅが周方向に間欠的に形成されている。
また、リフィールを構成するインク収納管１０６の後端側には尾栓１０８が装着されている。また、尾栓１０８の後端側には、周方向に沿って厚肉部１０８ｂ１と薄肉部１０８ｂ２とが交互に形成された筒体部１０８ｂが設けられている。
【０００４】
また、上述した各起立片１０４ｅの前端部にはテーパ面１０４ｆが形成されており、このテーパ面１０４ｆが、先軸１０３に対して後軸１０４を螺合させたときに、インク収納管１０６に装着された尾栓１０８の筒体部１０８ｂ（圧肉部１０８ｂ１）に当接して筒体部１０８ｂに対して弾性変形を与えるように作用する。
すなわち、上記の構成により、後軸１０４の内壁面に形成された起立片１０４ｅのテーパ面１０４ｆが尾栓１０８の後端部に当接した場合、尾栓１０８の後端部は、その径を縮小させるような作用を受け、その結果として薄肉部１０８ｂ２が弾性変形したわみが生じ、後軸１０４により尾栓１０８が装着されたリフィールが保持される。
これにより、軸筒とリフィールとの間の寸法ばらつきが吸収され、リフィールの軸方向の移動が防止されるようになっている。
【先行技術文献】
【特許文献】
【０００５】
【特許文献１】特開２００５―７４９８０号公報
【発明の概要】
【発明が解決しようとする課題】
【０００６】
しかしながら、上述した従来技術の筆記具は、以下に示す技術的課題を有している。
具体的には、上述した従来技術の筆記具（図１０参照）は、後軸１０４に形成された複数の起立片１０４ｅのテーパ部１０４ｆと、リフィールに装着された尾栓１０８の筒体部１０８ｂ（厚肉部１０８ｂ１）との接触位置が安定せず、リフィールを安定した状態で保持ができないことがあるという技術的課題を有している。
特に、起立片１０４ｅの幅寸法が小さいと（狭いと）、筒体部１０８ｂと起立片１０４ｅのテーパ部１０４ｆとの接触位置が安定しなかった。
なお、上記の技術的課題に対処するために、起立片の本数を増やす（厚肉部の数の倍以上が目安）方法も考えられるが、起立片の本数を増やすと成形工程における離型抵抗が大きくなり、成形時間を増加させるという別の技術的課題を招いてしまう。
また、上記技術的課題に対処するために、後軸に起立片を形成せずに後軸内部を略均一に肉厚にして全周面で尾栓の筒体部を抑える方法も考えられるが、当該方法によると軸筒を太くした場合に、軸表面がヒケ（凹）てしまい、美観が喪失されると共に、軸に転写加工する際の不良品発生の原因となる。
【０００７】
本発明は、上記技術的課題を解決するためになされたものであり、本発明の目的は、軸筒内にインク収納管を備えたリフィールを安定した状態で保持することができる筆記具を提供することにある。
【課題を解決するための手段】
【０００８】
上記課題を解決するためになされた本発明は、軸筒と、該軸筒に収容されるインク収納管を備えたリフィールと、該インク収納管の後端部に装着されている尾栓とを備えた筆記具であって、前記軸筒の後端側の内周面には、軸方向に沿って突設する複数の起立片が周方向に断続的に形成され、前記起立片の一端側には、前記内周面からの高さ寸法が小さくなる段差部が形成され、さらに、該段差部から先端方向に延びるテーパ部が設けられ、前記起立片は、少なくとも、前記段差部が前記尾栓の後端側に当接すると共に、前記複数の起立片のいずれかのテーパ部が前記尾栓の後端側に当接することを特徴としている。
また、前記尾栓には両端を貫通する通気孔が形成され、後端側には、前記通気孔を中心にして周方向に沿って薄肉部と厚肉部とが交互に形成され、前記テーパ部は、前記厚肉部に当接するようになされていることが望ましい。
【０００９】
このように本発明では、軸筒の後端側の内周面に、軸方向に沿って突設する複数の起立片が周方向に断続的に形成され、その起立片の一端に、段差部とテーパ部とが設けられている。また、前記起立片は、少なくとも、前記段差部が前記尾栓の後端側に当接すると共に、複数の起立片のいずれかのテーパ部が前記尾栓の後端側に当接するようになっている。
上記構成により、軸筒の内周面に、周方向に断続的に形成された起立片の段差部が尾栓の後端側に当接するため軸筒１０を安定して保持することができる。
すなわち、本発明によれば、起立片に、前記尾栓の後端側に当接する段差部を設けたことにより、テーパ部だけで尾栓を押さえていた従来技術の筆記具（図１０参照）と比べ、軸筒内に、尾栓が装着されたリフィールを安定した状態で保持することができる。
【００１０】
また、前記軸筒の後端側の内周面の隣接する起立片の間に斜面部が形成され、前記尾栓には、前記起立片及び前記斜面部が当接することが望ましい。
このように本発明の筆記具は、軸筒の後端側の内周面の周方向に沿って、起立片と、斜面部とが交互に配列され、リフィールに取り付けられた尾栓の後端側に、起立片及び斜面部が当接するようになっているため、軸筒の軸心に、リフィールを確実に位置決めして保持することができる。
【００１１】
また、前記軸筒の後端側の内周面には起立片が５本形成され、前記尾栓には厚肉部が３箇所形成されていることが望ましい。
このように構成したのは、本願の発明者らが、研究を重ねた結果、前記起立片の数を５本より多くすると成形工程における離型抵抗が大きくなり成形時間を増加させることが判明し、さらに、起立片の本数を尾栓の厚肉部の数の２倍未満にすると、軸筒の表面にヒケ（凹）が発生することを防止できることを見出したためである。
【００１２】
また、前記５本の起立片のうちの少なくとも２本の起立片と、１面の斜面部とが前記尾栓の厚肉部と当接していることが望ましい。
このように構成しているのは、起立片が５本である場合に、少なくとも、２本の起立片と、１面の斜面部とが尾栓の厚肉部に当接していれば、軸筒の軸心に、リフィールを位置決めして保持できるためである。
【発明の効果】
【００１３】
本発明によれば、軸筒内に、インク収納管を備えたリフィールを安定した状態で保持することができる筆記具を提供することができる。
【図面の簡単な説明】
【００１４】
【図１】本発明の実施形態の筆記具の外観を示した模式図である。
【図２】本発明の実施形態の筆記具の縦断面図である。
【図３】本発明の実施形態の軸筒を構成する後軸の断面図である。
【図４】図３のＢ−Ｂ断面図である。
【図５】本発明の実施形態の筆記具のリフィールに取り付けられる尾栓の斜視図である。
【図６】本発明の実施形態の筆記具のリフィールに取り付けられる尾栓の平面図である。
【図７】本発明の実施形態の筆記具のリフィールに取り付けられる尾栓の正面図である。
【図８】図２のＡ−Ａ断面を示した模式図である。
【図９】本発明の実施形態の筆記具の後端部を拡大して示した断面図である。
【図１０】従来技術の筆記具の後端部を拡大して示した断面図である。
【発明を実施するための形態】
【００１５】
以下、本発明の実施形態の筆記具について図面に基づいて説明する。
先ず、本発明の実施形態の筆記具の概略構成について図１及び図２を用いて説明する。
図１は、本発明の実施形態の筆記具の外観を示した模式図である。また、図２は、本発明の実施形態の筆記具の縦断面図である。なお、以下の説明では、筆記具１としてボールペンを示すが、あくまでもこれは一例である。
【００１６】
図１及び図２に示すように、本実施形態の筆記具（ボールペン）１は、筆記具１の外郭を構成する軸筒１０と、軸筒１０内に収容されるリフィール２０と、リフィール２０の後端部に取り付けられた尾栓３０と、軸筒１０の先端部に着脱自在に外嵌されるキャップ（図示せず）とを備えている。
ここで、軸筒１０は、例えば、合成樹脂（例えば、ＰＣ（ポリカーボネート））等により形成され、両端が貫通した中空筒状の先軸１３と、先軸１３の先端部に支持された口金１２と、この先軸１３の後方において先軸１３に対して着脱可能に取り付けられた中空筒状の後軸１４とを備えている。
また、リフィール２０は、筆記チップ２２と、インク収納管２３とを備え、筆記チップ２２とインク収納管２３とが、この間に介在された継ぎ手部材２４によって連結されている。なお、前記インク収納管２３内にはインク２５が収納されている。
【００１７】
そして、リフィール２０は、その後端部に尾栓３０が装着された状態で、前記軸筒１０の筒内に収容され、筆記チップ２２の先端が、口金１２の先端部に形成された開口部から突出されるようになっている。
また、後軸１４は、その後端側の内周面に、軸方向に沿って突設する複数の起立片１４ａが周方向に所定間隔で形成され（起立片１４ａが周方向に断続的に形成され）、当該起立片１４ａが、リフィール２０に装着された尾栓３０の後端側に当接するようになっている。
以下、筆記具１の各構成について具体的に説明する。なお、リフィール２０は、公知なものと同じであるため詳細な説明を省略する。
【００１８】
先ず、軸筒１０の構成について、上述した図２と、図３及び図４とを用いて説明する。
なお、図３は、本実施形態の軸筒を構成する後軸の断面図である。また、図４は、図３のＢ−Ｂ断面図である。
【００１９】
具体的には、図２に示すように、本実施形態の軸筒１０では、口金１２と先軸１３とが一体の部品として構成されている。また、口金１２は、先軸１３と比べて外形が縮径され、さらに、先端に向かうにしたがい外形が小さくなるように形成されている。
なお、本実施形態では、口金１２と先軸１３とが一体の部品として構成されているが特にこれに限定されるものではない。例えば、口金１２と先軸１３とが別体で構成され、先軸１３の前端部に、口金１２が着脱自在に係止されるようになされていてもよい。
【００２０】
また、先軸１３は、その後端部における外壁面に、ねじ部１３ｃが形成されている。
また、後軸１４は、中空筒状に形成され、その前端部が開口し、その後端部が閉塞され、さらに、その前端部における内壁面に、先軸１３のねじ部１３ｃに螺合するねじ部１４ｃが形成されている。
上記構成により、先軸１３の後端部の外壁面に形成されたねじ部１３ｃに、後軸１４の内壁面に形成されたねじ部１４ｃを螺合させることで、後軸１４を先軸１３の後端部に対して着脱可能に取り付けることができる。
【００２１】
また、図３及び図４に示すように、後軸１４は、その後端側の内周面に、軸心方向（図３に示すｓ方向）に沿って突設する複数の起立片１４ａが周方向に所定間隔で形成されていると共に、隣接する起立片１４ａの間に、軸心方向に沿った斜面部１４ｂが形成されている。すなわち、後軸１４の後端側の内側面には、５本の起立片１４ａと、５面の斜面部１４ｂとが周方向に沿って交互に形成されている。
【００２２】
また、図３に示すように、起立片１４ａの一端側（図３に示す下端側）には、軸心方向と略直角をなす段差部１４ａ１と、当該段差部１４ａ１から軸心方向に延びるテーパ部１４ａ２とが形成されている。
具体的には、起立片１４ａの一端側（図３に示す下端側）には、後軸１４の内周面からの高さ寸法が小さくなる段差部１４ａ１が形成され、さらに、当該段差部１４ａ１から軸心方向に延びるテーパ部１４ａ２が設けられている。このテーパ部１４ａ２は、先端（図３に示す下端）に向かうにしたがい前記内周面からの高さ寸法が小さくなっている。
なお、段差部１４ａ１は、軸心方向と略直角をなしているが特にこれに限定されるものではない。段差部１４ａ１は、軸筒１０に収容されたリフィール２０に装着された尾栓３０の後端部と相対向して当接できる形状になされていればよい。
【００２３】
そして、前記軸筒１０にリフィール２０を収容する場合、先軸１３の後端から筒内に、筆記チップ２２を先頭に向けてリフィール２０（尾栓３０が装着されたリフィール２０）を挿入し、その後、先軸１３のねじ部１３ｃに、後軸１４の前端側の内壁面に形成されたねじ部１４ｃを螺合させることにより、軸筒１０にリフィールが収容される。
【００２４】
次に、尾栓３０の構成について、上述した図２と、図５〜図７とを用いて説明する。
なお、図５は、本発明の実施形態の筆記具のリフィールに取り付けられる尾栓の斜視図である。また、図６は、本発明の実施形態の筆記具のリフィールに取り付けられる尾栓の平面図である。また、図７は、本発明の実施形態の筆記具のリフィールに取り付けられる尾栓の正面図である。
【００２５】
具体的には、尾栓３０は、リフィール２０を構成するインク収容管２３（図２参照）の内径部に嵌合できる外径を持った円筒部３０ａ（図５、図７参照）と、インク収容管２３の外径にほぼ等しい外径をもった筒体部３０ｂ（図５、図７参照）とを備えている。
また、尾栓３０には、インク収容管２３の内部と外部とを通気可能にする通気孔３０ｇが軸心に沿って貫通して形成されている。
なお、尾栓３０は、例えば、ポリプロピレン等の比較的弾性力を有する合成樹脂材料により形成されていることが望ましい。
【００２６】
また、図５及び図６に示すように、前記尾栓３０の後端部側に形成された筒体部３０ｂには、通気孔３０ｇを中心にして周方向に沿って厚肉部３０ｂ１と薄肉部３０ｂ２とが交互に形成されている。また、厚肉部３０ｂ１および薄肉部３０ｂ２は、それぞれ等間隔（１２０度の間隔）で交互に形成されている（厚肉部３０ｂ１及び薄肉部３０ｂ２がそれぞれ３個形成されている）。
この構成により、後軸１４の内壁面に形成された起立片１４ａが尾栓２０の後端部に当接した場合、尾栓３０の後端部は、その径を縮小させるような作用を受け、結果として薄肉部３０ｂ１が弾性変形して、ほぼ真円状態からやや三角形となるようなたわみを発生する。なお、本実施形態の尾栓３０の構造は、上述した特許文献１に記載されたものと同じである。
【００２７】
次に、軸筒１０に、尾栓３０が装着されたリフィール２０を収容した際における、軸筒１０（後軸１４）の後端側に形成された起立片１４ａ及び斜面部１４ｂと、尾栓３０の筒体部３０ｂとの関係について、上述した図２と、図８及び図９とを用いて説明する。
なお、図８は、図２のＡ-Ａ断面を示した模式図である。また、図９は、本発明の実施形態の筆記具の後端側の断面を拡大して示した模式図である。
【００２８】
具体的には、図９に示すように、軸筒１０にリフィール２０を収容した場合（すなわち、先軸１３の筒内に、尾栓３０を装着したリフィール２０が挿入され、先軸１３のねじ部１３ｃに、後軸１４のねじ部１４ｃを螺合して取り付けた場合）、複数の起立片１４ａのうち、尾栓３０の厚肉部３０ｂ１に相対向して配置された起立片１４ａのテーパ部１４ａ２が、尾栓３０（厚肉部３０ｂ１）の外周側面に当接するようになっている。
なお、尾栓３０の薄肉部３０ｂ２に相対向して配置された起立片１４ａのテーパ部１４ａ２は、上述した図１０に示した従来技術のものと同様、尾栓３０（薄肉部３０ｂ２）には当接しないようになっている。
また、軸筒１０にリフィール２０が収容された場合、起立片１４ａの段差部１４ａ１は、少なくとも、尾栓３０の後端と当接するようになっている。
【００２９】
このように本実施形態では、起立片１４ａに段差部１４ａ１を形成するようにし、軸筒１０にリフィール２０が収容された場合、当該段差部１４ａ１が、少なくとも、尾栓３０の後端部と当接するように構成している。
したがって、本実施形態によれば、尾栓３０の厚肉部３０ｂ２に相対向して配置されていない起立片１４ａ（薄肉部３０ｂ２と相対向して配置された起立片１４ａ）も、その段差部１４ａ１が尾栓３０に当接するようになるため（尾栓３０を保持するため）、尾栓３０が装着されたリフィール２０を安定した状態で保持することができる。
【００３０】
さらに、図８に示すように、本実施形態の筆記具１は、後軸１４の後端側の内周面の周方向に沿って、起立片１４ａと、斜面部１４ｂとが交互に形成され（図８参照）、リフィール２０に取り付けられた尾栓３０の後端側に、起立片１４ａ及び斜面部１４ｂが当接するようになっている。
すなわち、本実施形態の後軸１４の構成によれば、リフィール２０の後端に取り付けられた尾栓３０の外周囲に沿って、起立片１４ａ及び斜面部１４ｂが当接するようになるため、軸筒１０の軸心に、リフィール２０を確実に位置決めして保持することができる。
【００３１】
また、本実施形態では、後軸１４の起立片１４ａが５本形成され、尾栓３０の厚肉部３０ｂ１が３箇所形成されているが、このように構成したのは以下の理由による。
具体的には、本願の発明者らが、研究を重ねた結果、起立片１４ａの数を５本より多くすると成形工程における離型抵抗が大きくなり成形時間を増加させることが判った。
また、当該研究の結果、後軸１４に形成する起立片１４ａの本数を尾栓３０の厚肉部３０ｂ１の数の２倍未満にすると、軸筒１０の表面にヒケ（凹）が発生することを防止できること見出した。
その結果、本実施形態では、後軸１４の起立片１４ａの数を５本とし、尾栓３０の厚肉部３０ｂ１を３箇所とした。
【００３２】
さらに、本実施形態では、前記５本の起立片１４ａのうちの少なくとも２本の起立片１４ａと、１面の斜面部１４ｂとが尾栓３０の厚肉部３０ｂ１と当接するようになされている。
このように構成しているのは、起立片が５本である場合に、少なくとも、２本の起立片と、１面の斜面部とが尾栓３０の厚肉部３０ｂ１と当接していれば、軸筒１０の軸心に、リフィール２０を位置決めし保持できるためである。
【００３３】
以上説明したように、本実施形態の筆記具１の構成によれば、起立片１４ａが形成された後軸１４に、尾栓３０が装着されたリフィール２０を挿入した際に（すなわち、後軸１４にリフィール２０を収容した際に）、軸筒１０の軸心に、リフィール２０を位置決めして安定した状態で保持することができる。その結果、本実施形態によれば、リフィール２０の曲がりが防止される。
また、上記の構成により、本実施形態によれば、口金１２からの筆記チップ２２の出寸法を安定させることができる。そのため、例えば、本実施形態の筆記具１が、ペン先をシールするシール式のボールペン（キャップの内部にゴムなどのシール部材を設け、シール部材によりペン先をシールするタイプのボールペン）に適用された場合に、シール不良の発生を効果的に防止することができる。
【００３４】
また、本実施形態の筆記具１は、上記のように構成されているため、自動機により組み立てた場合においても、リフィール２０の軸心からのズレが防止されるため、不良品の発生が抑制される。すなわち、本実施形態の筆記具１の構成を採用することにより、筆記具１の生産性が向上される。
なお、本発明は、上述した実施形態に限定されるものではなく、その要旨の範囲内において種々の変形が可能である。
【００３５】
例えば、上述した実施形態では、筆記具１がボールペンである例を示したが、軸筒内に収容されるインク等の液体を収容する収納管を有するリフィールを備えた筆記具（例えば、化粧液の塗布具）であれば本発明を適用することができる。
【符号の説明】
【００３６】
１        筆記具
１０      軸筒
１２      口金（軸筒）
１３      先軸（軸筒）
１３ｃ    ねじ部（先軸（軸筒））
１４      後軸（軸筒）
１４ａ    起立片（後軸（軸筒））
１４ａ１  段差部（起立片（後軸（軸筒）））
１４ａ２  テーパ部（起立片（後軸（軸筒）））
１４ｂ    斜面部（後軸（軸筒））
１４ｃ    ねじ部（後軸（軸筒））
２０      フィール
２２      筆記チップ（リフィール）
２３      インク収納管（リフィール）
２４      継ぎ手部材（リフィール）
２５      インク（リフィール）
３０      尾栓
３０ａ    円筒部（尾栓）
３０ｂ    筒体部（尾栓）
３０ｂ１  厚肉部（筒体部（尾栓））
３０ｂ２  薄肉部（筒体部（尾栓））
３０ｇ    通気孔（尾栓）
【図１】
2011121299.tif 000003
【図２】
2011121299.tif 000004
【図３】
2011121299.tif 000005
【図４】
2011121299.tif 000006
【図５】
2011121299.tif 000007
【図６】
2011121299.tif 000008
【図７】
2011121299.tif 000009
【図８】
2011121299.tif 000010
【図９】
2011121299.tif 000011
【図１０】
2011121299.tif 000012